(57)【要約】【課題】胴縁を介することなく、直接サイディングを下地材に取付けることの可能なサイディングの取付け構造を提供する。【解決手段】サイディング保持手段１と、下地材５に埋め込まれるアンカー材と、両者を結合する結合手段３とからなるサイディング６の取付け構造であって、該サイディング保持手段１はベース部１１とこのベース部に列立され、相互に逆方向を向く複数の略Ｌ字型の係止片１２、１３、１４とからなり、上記アンカー材は埋め込み栓２からなるとともに、上記結合手段が固定用ビス３１、３２であるサイディングの取付け構造。【選択図】図３
2005146643.tif 000002
【特許請求の範囲】
【請求項１】
サイディング保持手段と、下地材に埋め込まれるアンカー材と、両者を結合する結合手段とからなるサイディングの取付け構造であって、該サイディング保持手段はベース部とこのベース部に列立され、相互に逆方向を向く複数の略Ｌ字型の係止片とからなり、上記アンカー材は埋め込み栓からなるとともに、上記結合手段が固定用ビスであるサイディングの取付け構造。
【請求項２】
上記下地材がＡＬＣ板である請求項１に記載のサイディングの取付け構造。
【請求項３】
上記複数の係止片が１つの上向き係止片とこれを挟んで列立する２つの下向き係止片とからなる請求項１に記載のサイディングの取付け構造。
【請求項４】
上記埋め込み栓が木製であるとともに、該木製埋め込み栓の上部円周部に鍔部を有するものである請求項１に記載のサイディングの取付け構造。
【発明の詳細な説明】
【技術分野】
【０００１】
本発明は、サイディングの取付け構造に関する。さらに詳しくは、サイディングを壁面等の外装材として下地材に取付けるためのサイディングの取付け構造に関する。
【背景技術】
【０００２】
従来から建物の外装の一般的な工法として、コンクリート駆体にＡＬＣ板、ＰＣ、石膏ボード等の下地材を張り付け、これにサイディング等の外装材を取付けることが行なわれている。しかしながら、上記した下地材は局部応力に弱いため、外装材の取付け手段、例えばアンカーボルト等を直接、固定しても不安定であり、しばしば、抜けや、外れが生じる。そこで、上記下地材に下穴を開けて接着剤等を注入し、木製、合成樹脂製の栓や金属製の雌ネジ筒体等を埋め込み、固定してこれらのアンカー材に胴縁を取付け、この胴縁を介してサイディングを取付けることが一般的に行なわれている。
【特許文献１】登録実用新案公報第３００９９４３号（第１−３頁、第４図）
【特許文献２】特開平９−２７９７１７号公報（第１−３頁、第１図、第３図）
【発明の開示】
【発明が解決しようとする課題】
【０００３】
しかしながら、上記公知のサイディング取付け構造は、下地材に埋め込まれたアンカー材に胴縁を取付け、この胴縁にサイディングをビス留めするため、手間がかかり、作業性が悪いという問題がある。そこで本発明は、胴縁を介することなく、直接サイディングを下地材に取付けることのできるサイディングの取付け構造を提供することをその課題とする。
【課題を解決するための手段】
【０００４】
上記課題を解決するために、本発明は、つぎのような技術的手段を講じている。すなわち、本発明によれば、サイディング保持手段と、下地材に埋め込まれるアンカー材と、両者を結合する結合手段とからなるサイディングの取付け構造であって、該サイディング保持手段はベース部とこのベース部に列立され、相互に逆方向を向く複数の略Ｌ字型の係止片とからなり、上記アンカー材は埋め込み栓からなるとともに、上記結合手段が固定用ビスであるサイディングの取付け構造が提供される。
【０００５】
上記下地材としては、ＡＬＣ板、ＰＣ、石膏ボード等があげられる。中でも、本発明のサイディングの取付け構造は、ＡＬＣ板に好適に適用される。
【０００６】
上記複数の係止片の数はとくに限定されないが、１つの上向き係止片とこれを挟んで列立する２つの下向き係止片とからなることが好ましい。
【０００７】
上記埋め込み栓としては、木製、合成樹脂製等があげられるが、木製の埋め込み栓を用いることが好ましい。さらに、該木製埋め込み栓の上部円周部に鍔部を有するものであることが好ましい。
【発明の効果】
【０００８】
請求項１に記載の発明は上記のとおりであり、とくに、ベース部とこのベース部に列立され、相互に逆方向を向く複数の略Ｌ字型の係止片とからなるサイディング保持手段と埋め込み栓とが固定用ビスで結合されているため、従来用いられてきた胴縁が不要となり、簡単にサイディングを下地材に取付けることができる。
【０００９】
上記下地材がＡＬＣ（軽量気泡コンクリート）板の場合、脆弱であるが、このような下地材にも接着剤を注入して埋め込み栓を埋め込むことができ、サイディング保持手段を介してサイディングを直接取付けることができる。
【００１０】
上記複数の係止片が１つの上向き係止片とこれを挟む２つの下向き係止片を列立させてなるため、サイディングの上端部に設けられた上部係合溝部を２つの下向き係止片に係合させ、サイディングを持ち上げて、つぎに、サイディングの下端部に設けられた下部係合溝部を上向き係止片に係合させ、下ろせば容易に、作業性よくサイディングを下地材に取付けることができる。
【００１１】
上記埋め込み栓が木製であるとともに、該木製埋め込み栓の上部円周部に鍔部を有しているため、該鍔部が下地材に穿たれた下穴の周囲に架かるとともに、固定用ビスが木製埋め込み栓に容易に螺入し、サイディング保持手段をしっかりとビス留めすることができる。
【発明を実施するための最良の形態】
【００１２】
以下、下地材としてＡＬＣ板を用いたときの、本発明の実施形態について図面を参照して、詳細に説明する。図１は、本発明にかかるサイディングの取付け構造を示す分解斜視図である。図１において、上記取付け構造は、サイディング保持手段１と、後述のＡＬＣ板５に埋め込まれるアンカー材としての木製の埋め込み栓２と、両者を結合する結合手段３としての固定用ビス３１、３２とから構成されている。上記サイディング保持手段１は金属製であり、そのベース部１１には略Ｌ字型の上向き係止片１２とこれを挟んで略Ｌ字型の２つの下向き係止片１３、１４が列立し、ビス３１、３２が挿通するビス孔１５、１６が穿たれている。また、埋め込み栓２は上部円周部に鍔部２１を備えている。
【００１３】
図２は、水平状態に保った上記ＡＬＣ板５に下穴５１を開け、接着剤４を注入、上記埋め込み栓２を固定してアンカー材とし、この埋め込み栓２に上記サイディング保持手段１をビス３１、３２によって固定した状態を示す側断面図である。図３は、ＡＬＣ板５を駆体の壁面に張り付け、壁面の外装材としてサイディング６を取付けた状態を示す側断面図である。サイディング６の上下端部に設けられた上部係合溝部６１と下部係合溝部６２とに上記サイディング保持手段１の下向き係止片１３、１４と上向き係止片１２とを係合させることによりサイディング６がＡＬＣ板５に取付けられる。すなわち、まず、上部係合溝部６１を下向き係止片１３、１４に係合させ、該サイディング６を持ち上げて下部係合溝部６２を上向き係止片１２に係合させた後、該サイディング６を下ろせば容易に、作業性よくサイディング保持手段１によってサイディング６をＡＬＣ板５に取付けることができる。
【００１４】
図４は、本発明のサイディングの取付け構造を用い、ＡＬＣ板５に壁面の外装材として横張りされたサイディング６を示す一部透視正面図である。１枚のサイディング６を６個のサイディング保持手段１を用いて、簡単にしっかりとＡＬＣ板５に取付けることができる。このように、本発明を実施することにより、従来用いられてきた胴縁が不要となるため、作業性の向上が図られるとともに、施工材料の大幅削減を達成することができる。
【図面の簡単な説明】
【００１５】
【図１】本発明にかかるサイディングの取付け構造を示す分解斜視図である。
【図２】水平状態に保ったＡＬＣ板にサイディング保持手段を固定した状態を示す側断面図である。
【図３】壁面の外装材としてサイディングを取付けた状態を示す側断面図である。
【図４】壁面の外装材として横張りしたサイディングを示す一部透視正面図である。
【符号の説明】
【００１６】
１          サイディング保持手段
１１        同上ベース部
１２        上向き係止片
１３、１４  下向き係止片
１５、１６  ビス孔
２          木製の埋め込み栓
２１        同上鍔部
３          結合手段
３１、３２  固定用ビス
４          接着剤
５          ＡＬＣ板
５１        上記に穿たれた下穴
６          サイディング
６１        上部係合溝部
６２        下部係合溝部
【図１】
2005146643.tif 000003
【図２】
2005146643.tif 000004
【図３】
2005146643.tif 000005
【図４】
2005146643.tif 000006